(57)【特許請求の範囲】
【請求項１】
蓋体には開孔を貫設した窓部材を取着し、その開孔の周りでこの窓部材には係止溝を設けるとともにその係止溝に対する反対側において支持溝を周方向の両側で設け、
前記蓋体に対し着脱可能な把手部材においては、閉塞部を設け、回動中心部から延びる係止腕部と操作腕部とを有する係止レバーをこの閉塞部の周りで回動可能に設けるとともに、この係止レバーに対する反対側において固定軸を周方向の両側で設け、この閉塞部の上側で把持部を閉塞部側の基端部から先端部にわたりこの両固定軸の上方域を経て蓋体の外周縁部へ向けて延設し、
前記把手部材の閉塞部の上側で前記係止レバーの回動中心部と把持部の基端部との間に設けた袋部にはこの係止レバーの操作腕部を収容してこの袋部内の弾性体により付勢し、
前記把手部材を蓋体に取り付けた状態では、把手部材の閉塞部の下側により窓部材の開孔を閉塞し、前記係止レバーの操作腕部が袋部内の弾性体により付勢されてこの係止レバーの係止腕部を窓部材の係止溝に対し係止させた係止位置を取り、前記両固定軸がこの係止レバーの係止腕部の係止位置で窓部材の両支持溝から離脱不能になり、
この把手部材の取付状態で、閉塞部の上側にある把持部を握った手の指により前記係止レバーの操作腕部を袋部内の弾性体の弾性力に抗して押さえると、その操作腕部が把持部の基端部に近接して前記係止レバーの係止腕部とともに回動し、その係止腕部が離脱位置になって窓部材の係止溝から離脱し、両固定軸を支えとして把手部材を回動させることにより、この両固定軸を両支持溝から抜いて把手部材を蓋体から離脱させることができる
ことを特徴とする調理具の蓋。
【発明の詳細な説明】
【０００１】
【発明の属する技術分野】
この発明は、フライパンや鍋などの各種調理具において、その本体に被せる蓋に関するものである。
【０００２】
【従来の技術及び発明が解決しようとする課題】
従来、この種の蓋において蓋体には把手部材が設けられている。しかし、このような把手部材が蓋体に対し常に固着されていると、蓋を使用する場合に多々不便なこともある。
【０００３】
本発明は、蓋体に対し把手部材を着脱可能にするとともに、その着脱構造も改良して、調理具の蓋としての機能を高めることを目的にしている。
【０００４】
【課題を解決するための手段及び発明の効果】
後記実施形態の図面（図１〜４）の符号を援用して本発明を説明する。
【０００７】
請求項１の発明にかかる調理具の蓋（１）は、下記のように構成されている。
蓋体（３）には開孔（１１）を貫設した窓部材（７）を取着している。その開孔（１１）の周りでこの窓部材（７）には、係止溝（１３）を設けるとともに、その係止溝（１３）に対する反対側において支持溝（１４）を周方向の両側で設けている。前記蓋体（３）に対し着脱可能な把手部材（４）においては、閉塞部（１５）を設け、回動中心部（２３）から延びる係止腕部（２４）と操作腕部（２５）とを有する係止レバー（２１）をこの閉塞部（１５）の周りで回動可能に設けるとともに、この係止レバー（２１）に対する反対側において固定軸（２７）を周方向の両側で設け、この閉塞部（１５）の上側で把持部（１６）を閉塞部（１５）側の基端部（１７）から先端部（１８）にわたりこの両固定軸（２７）の上方域を経て蓋体（３）の外周縁部（６）へ向けて延設している。前記把手部材（４）の閉塞部（１５）の上側で前記係止レバー（２１）の回動中心部（２３）と把持部（１６）の基端部（１７）との間に設けた袋部（１９）には、この係止レバー（２１）の操作腕部（２５）を収容してこの袋部（１９）内の弾性体（２６）により付勢している。
前記把手部材（４）を蓋体（３）に取り付けた状態では、把手部材（４）の閉塞部（１５）の下側により窓部材（７）の開孔（１１）を閉塞し、前記係止レバー（２１）の操作腕部（２５）が袋部（１９）内の弾性体（２６）により付勢されてこの係止レバー（２１）の係止腕部（２４）を窓部材（７）の係止溝（１３）に対し係止させた係止位置（Ｐ）を取り、前記両固定軸（２７）がこの係止レバー（２１）の係止腕部（２４）の係止位置（Ｐ）で窓部材（７）の両支持溝（１４）から離脱不能になる。
この把手部材（４）の取付状態で、閉塞部（１５）の上側にある把持部（１６）を握った手の指により前記係止レバー（２１）の操作腕部（２５）を袋部（１９）内の弾性体（２６）の弾性力に抗して押さえると、その操作腕部（２５）が把持部（１６）の基端部（１７）に近接して前記係止レバー（２１）の係止腕部（２４）とともに回動し、その係止腕部（２４）が離脱位置（Ｑ）になって窓部材（７）の係止溝（１３）から離脱し、両固定軸（２７）を支えとして把手部材（４）を回動させることにより、この両固定軸（２７）を両支持溝（１４）から抜いて把手部材（４）を蓋体（３）から離脱させることができる。
【０００９】
請求項１の発明は、下記（イ）〜（ホ）の効果を有する。
（イ）  蓋体（３）から把手部材（４）を分離した場合には、蓋体（３）で開孔（１１）を開放して蒸気抜きや水入れなどに利用することができる。また、蓋体（３）に把手部材（４）を取り付けた場合には、把手部材（４）で開孔（１１）を閉塞することができるとともに、把手部材（４）を蓋体（３）に対し分離不能に位置決めした状態で把手部材（４）を把持して蓋体（３）を持ち上げることができる。従って、調理具の蓋（１）としての機能を高めることができる。
【００１０】
（ロ）  把手部材（４）の操作腕部（２５）により、蓋体（３）に対する把手部材（４）の着脱操作が行い易くなり、調理具の蓋（１）としての機能をより一層高めることができる。
【００１２】
（ハ）  係止腕部（２４）と操作腕部（２５）とを有する係止レバー（２１）により、係脱構造が簡単になるとともに、把持部（１６）を握った手の指で蓋体（３）に対する把手部材（４）の着脱操作が行い易くなり、調理具の蓋（１）としての機能をより一層高めることができる。
【００２４】
（ニ）  把手部材（４）の袋部（１９）で係止レバー（２１）をコンパクトにまとめることができる。
【００２６】
（ホ）  把手部材（４）を蓋体（３）に取り付け易くなり、調理具の蓋（１）としての機能をより一層高めることができる。
【００２９】
【発明の実施の形態】
以下、本発明の一実施形態にかかる調理具の蓋を図面を参照して説明する。
図１（ａ）（ｂ）に示す蓋１は、図２（ａ）に示すように調理具本体としてのフライパン２上に被せるものであって、図４（ａ）に示す円盤状の蓋体３と、図４（ｂ）に示す把手部材４とを備えている。
【００３０】
前記蓋体３においては、中心部５に対し所定半径をなす円形状の外周縁部６により囲まれた範囲内で、中心部５から偏らせた前後両側位置のうち、前側で窓部材７が取着されているとともに、後側で半円状のガラス製透視窓８が嵌め込まれている。この窓部材７においては、前記外周縁部６側の直線状内周縁部９と前記中心部５側の半円状内周縁部１０とで囲まれた開孔１１が貫設され、その開孔１１の周りで開孔１１の内周縁部９，１０に沿って環状のシール面１２が形成されている。また、この窓部材７においては、前記中心部５付近で係止溝１３（係止部）が開孔１１の半円状内周縁部１０に隣接して形成されているとともに、左右両支持溝１４（係止部）が開孔１１の直線状内周縁部９に隣接して形成されている。
【００３１】
前記把手部材４においては、閉塞部１５の中央部上で一体形成された把持部１６が基端部１７から先端部１８にわたり延設され、袋部１９がこの閉塞部１５の上側でこの把持部１６の基端部１７に隣接して形成されている。この閉塞部１５の下側には環状のシール面２０が形成されている。この袋部１９で係止レバー２１が支軸２２により回動可能に支持されている。この係止レバー２１は、回動中心部２３から前記閉塞部１５の下側へ向けて延びる係止腕部２４（係止部）と、回動中心部２３から前記把持部１６の基端部１７へ向けて延びる操作腕部２５（操作部）とからなる。この操作腕部２５は袋部１９内の板ばね２６（弾性体）により付勢されている。この閉塞部１５には係止レバー２１に対する反対側で左右両固定軸２７（係止部）が突設されている。
【００３２】
前記把手部材４を前記蓋体３に取り付けた状態では、閉塞部１５のシール面２０が窓部材７のシール面１２に重合されて窓部材７の開孔１１が閉塞部１５で閉塞され、閉塞部１５の左右両固定軸２７が窓部材７の左右両支持溝１４に係入されている。また、係止レバー２１においては、板ばね２６の弾性力により、操作腕部２５が把持部１６の基端部１７に近接して係止腕部２４とともに回動し、係止腕部２４が閉動位置Ｐ（係止位置）になってその係止鉤部２４ａが窓部材７の係止溝１３に対し係入されている。前記把持部１６は、係止レバー２１の回動中心線２３ａに対し直交するように前記中心部５側から外周縁部６側へ向けて延設され、閉塞部１５及び蓋体３から次第に離れるように傾斜している。この取付状態で、把手部材４は蓋体３に対し位置決めされ、すべての方向（前後方向、左右方向、上下方向）で把手部材４の動きが規制される。その規制は、窓部材７のシール面１２と閉塞部１５のシール面２０との重合や、窓部材７の係止溝１３と係止レバー２１の係止腕部２４の係止鉤部２４ａとの係合や、窓部材７の左右両支持溝１４と閉塞部１５の左右両固定軸２７との係合など、蓋体３の各部と把手部材４の各部との当接により行われる。
【００３３】
図２（ｂ）に示すように、蓋１を使用しない場合には、前記把持部１６の先端部１８と、この先端部１８に面する蓋体３の外周縁部６ａとを支点部として支えた状態にして、蓋１を立てることができる。
【００３４】
図２（ａ）に示す取付状態で、把持部１６を握った手の指により操作腕部２５を板ばね２６の弾性力に抗して押さえると、図３（ａ）及び図１（ｂ）の想像線で示すように、操作腕部２５が把持部１６の基端部１７に近接して係止腕部２４とともに回動し、係止腕部２４が開動位置Ｑ（離脱位置）になって窓部材７の係止溝１３から離脱される。次に、図３（ｂ）に示すように左右両固定軸２７を支えとして把手部材４を回動させた後、図３（ｃ）に示すようにこの左右両固定軸２７を左右両支持溝１４から抜いて把手部材４を蓋体３から離脱させる。この離脱操作とは逆の操作により、把手部材４を蓋体３に取り付けることができる。
【図面の簡単な説明】
【図１】  （ａ）は本実施形態にかかる蓋を示す平面図であり、（ｂ）は（ａ）のＸ−Ｘ線における部分拡大断面図である。
【図２】  （ａ）は本実施形態にかかる蓋を示す側面図であり、（ｂ）は不使用時に蓋を立てた状態を示す側面図である。
【図３】  本実施形態にかかる蓋において蓋体に対し把手部材を着脱する過程を示す側面図である。
【図４】  （ａ）は本実施形態にかかる蓋において把手部材を取り外した蓋体のみを示す平面図であり、（ｂ）はこの把手部材のみを示す平面図である。
【符号の説明】
１…蓋、３…蓋体、４…把手部材、５…中心部、６…外周縁部、６ａ…外周縁部の支点部、９，１０…内周縁部、１１…開孔、１２…シール面、１３…係止溝（係止部）、１４…支持溝（係止部）、１５…閉塞部、１６…把持部、１７…基端部、１８…先端部（支点部）、２０…シール面、２１…係止レバー、２３…回動中心部、２３ａ…回動中心線、２４…係止腕部（係止部）、２５…操作腕部（操作部）、２７…固定軸（係止部）、Ｐ…閉動位置（係止位置）、Ｑ…開動位置（離脱位置）。
【図１】
0003682415.tif 000002
【図２】
0003682415.tif 000003
【図３】
0003682415.tif 000004
【図４】
0003682415.tif 000005